(57)【要約】【課題】メモリを共用化して装置規模の増大を抑制しながら、地上デジタル放送とモバイル衛星放送との受信を可能にする。【解決手段】第１のデジタル放送方式による第１の放送信号と第２のデジタル放送方式による第２の放送信号とが入力され、所定の番組を選択するチューナ１２Ｔ，１２Ｍと、第１及び第２の放送信号に対するデインターリーブ処理用のメモリ１６と、チューナから第１の放送信号に基づくデータが与えられて復調処理を行うものであって、メモリを用いて第１の放送信号に基づくデータのデインターリーブ処理を行う第１の復調部１３Ｔと、チューナから第２の放送信号に基づくデータが与えられて復調処理を行うものであって、メモリを用いて第２の放送信号に基づくデータのデインターリーブ処理を行う第２の復調部１３Ｍと、第１及び第２の復調部からの復調出力をデコードするデコーダ１４Ｔ，１４Ｍとを具備したものである。【選択図】図１
2009005298.tif 000002
【特許請求の範囲】
【請求項１】
第１のデジタル放送方式による第１の放送信号と第２のデジタル放送方式による第２の放送信号とが入力され、所定の番組を選択するチューナと、
前記第１及び第２の放送信号に対するデインターリーブ処理用のメモリと、
前記チューナから第１の放送信号に基づくデータが与えられて復調処理を行うものであって、前記メモリを用いて前記第１の放送信号に基づくデータのデインターリーブ処理を行う第１の復調部と、
前記チューナから第２の放送信号に基づくデータが与えられて復調処理を行うものであって、前記メモリを用いて前記第２の放送信号に基づくデータのデインターリーブ処理を行う第２の復調部と、
前記第１及び第２の復調部からの復調出力をデコードするデコーダと
を具備したことを特徴とする共用受信装置。
【請求項２】
前記第１及び第２の放送信号の符号化方式が共通であり、
前記デコーダは、前記第１及び第２の復調部からの復調出力に対して共通の処理を行う共用のデコード部によって構成されることを特徴とする請求項１に記載の共用受信装置。
【請求項３】
前記第１及び第２復調部は、前記復調出力に含まれるパラメータに基づいて前記復調出力のデインターリーブ処理に必要なメモリ量を求めることを特徴とする請求項１に記載の共用受信装置。
【請求項４】
前記第１及び第２の復調部の一方は、前記第１及び第２の復調部の他方によって前記メモリが使用されている場合には、前記メモリの空き領域を使用して前記デインターリーブ処理を行うことを特徴とする請求項１に記載の共用受信装置。
【請求項５】
前記第１及び第２の復調部は、前記第１及び第２の放送信号の一方のデインターリーブ処理に前記メモリが使用されている場合には、使用されていない前記メモリの空領域の容量と前記第１及び第２の放送信号の他方に基づくデータに対するデインターリーブ処理に必要な容量との比較によって、各チャンネル毎に前記他方の放送信号の受信が可能か否かを判定することを特徴とする請求項１に記載の共用受信装置。
【発明の詳細な説明】
【技術分野】
【０００１】
本発明は、衛星放送システム及び地上放送システムに好適な共用受信装置に関する。
【背景技術】
【０００２】
近年、放送のデジタル化が進められており、地上デジタル放送、衛星デジタル放送のサービスが開始されている。更に、静止衛星からの送信信号をギャップフィラーによって再生中継することで、移動体における放送受信に適したモバイル衛星放送も行われている。
【０００３】
日本におけるこれらのデジタル放送システムは、ＡＲＩＢ（Association of Radio Industries and Business）の標準規格によって、伝送方式、符号化方式、受信機方式等の各種方式が規定されている。例えば、地上デジタル放送においては、変調方式としてＯＦＤＭ（Orthgonal Frequency Division Multiplexing ）を採用することが規定されており、モバイル衛星放送においては、変調方式として、ＣＤＭ（符号化分割多重（Code Division Multiplex）を採用することが規定されている。
【０００４】
また、地上デジタル放送及びモバイル衛星放送は、比較的長い時間インターリーブを採用しており、移動体受信に好適である。車や電車等の高速移動時において、フェージングによる振幅変動による受信不良な状態が発生しても、インターリーブによってノイズを分散し誤り訂正を容易にすることで、復号可能な状態にしやすくなっている。特に、モバイル衛星放送では、極めて長い時間インターリーブを採用しており、移動体においても良好な受信性能を得ることができる。
【０００５】
ところで、放送受信装置として、地上デジタル放送及び衛星デジタル放送を受信可能な共用受信装置が開発されている。特許文献１には、更にデジタルＣＡＴＶ放送を受信可能にした装置が開示されている。しかし、地上デジタル放送とモバイル衛星放送との受信が可能な共用受信装置は開発されていない。
【０００６】
移動体等において、地上デジタル放送とモバイル衛星放送との受信が可能な共用受信装置を採用することが考えられる。ところが、各種方式の相違から、このような共用受信装置においては、回路を個別に設ける必要があり回路規模が増大する。特に、画素数が多い地上デジタル放送に用いるインターリーブ用のメモリは大きな容量が必要であり、また、画素数は少ないが長時間インターリーブを可能にするモバイル衛星放送に用いるインターリーブ用のメモリも大きな容量が必要である。
【特許文献１】特開２０００−２５３３７９号公報
【発明の開示】
【発明が解決しようとする課題】
【０００７】
本発明は、メモリを共用化可能とすることにより回路規模の増大を抑制することができる共用受信装置を提供することを目的とする。
【課題を解決するための手段】
【０００８】
本発明の一態様の共用受信装置は、第１のデジタル放送方式による第１の放送信号と第２のデジタル放送方式による第２の放送信号とが入力され、所定の番組を選択するチューナと、前記第１及び第２の放送信号に対するデインターリーブ処理用のメモリと、前記チューナから第１の放送信号に基づくデータが与えられて復調処理を行うものであって、前記メモリを用いて前記第１の放送信号に基づくデータのデインターリーブ処理を行う第１の復調部と、前記チューナから第２の放送信号に基づくデータが与えられて復調処理を行うものであって、前記メモリを用いて前記第２の放送信号に基づくデータのデインターリーブ処理を行う第２の復調部と、前記第１及び第２の復調部からの復調出力をデコードするデコーダとを具備したものである。
【発明の効果】
【０００９】
本発明によれば、メモリを共用化可能とすることにより回路規模の増大を抑制することができるという効果を有する。
【発明を実施するための最良の形態】
【００１０】
以下、図面を参照して本発明の実施の形態について詳細に説明する。図１は本発明の第１の実施の形態に係る共用受信装置を示すブロック図である。
【００１１】
アンテナ１１Ｔには地上ディジタル放送の高周波信号が誘起する。この高周波信号はチューナ１２Ｔに供給される。チューナ１２Ｔは、受信信号から視聴者の操作に基づく所定のチャンネルを選局して、ＯＦＤＭ復調／ＦＥＣ部１３Ｔに出力する。地上デジタル放送においては、Ｉ軸（In Phase）及びＱ軸（Quadrature Phase）の各位相信号に変換された番組データを例えばＱＰＳＫ変調して伝送するようになっており、ＯＦＤＭ復調／ＦＥＣ部１３ＴにはＩ軸，Ｑ軸からなる複素信号が入力される。
【００１２】
ＯＦＤＭ復調／ＦＥＣ部１３Ｔは、入力されたＯＦＤＭシンボルに対して高速フーリエ変換（ＦＦＴ）を施して、元のデータ系列を得る。更に、ＯＦＤＭ復調／ＦＥＣ部１３Ｔは、送信側の変調方式に対応した復調処理、例えばＱＰＳＫ復調処理を行う。
【００１３】
地上デジタル放送信号は放送局においてインターリーブ処理が施されている。ＯＦＤＭ復調／ＦＥＣ部１３Ｔは、後述するように、メモリ１６を用いて、復調後のデータに対して送信側のインターリーブ処理に対応したデインターリーブ処理を行う。そして、ＯＦＤＭ復調／ＦＥＣ部１３Ｔはデインターリーブ処理後のデータに対して、誤り訂正処理を行って、元のデータを復元し、ＣＡ／デコード部１４Ｔに出力する。
【００１４】
地上ディジタル放送は、ＭＰＥＧ２規格又はＨ．２６４（ＭＰＥＧ４）規格に従ったストリームを伝送する。即ち、ＭＰＥＧ２規格では、複数のプログラムを１つのストリームで伝送することを考慮したトランスポートストリーム（Transport Stream （ＴＳ））でデータを伝送することができる。トランスポートストリームは、固定長のパケット（トランスポートパケット）によって構成されており、ビデオデータ、音声データ及びその他のデータを含んでいる。
【００１５】
ＯＦＤＭ復調／ＦＥＣ部１３Ｔの出力はこのようなトランスポートストリームである。放送局側では、放送信号にスクランブルを施している。ＣＡ／デコード部１４Ｔは、デスクランブル処理によって、スクランブルを解除する。
【００１６】
ＣＡ／デコード部１４Ｔは、ＭＰＥＧ形式で圧縮されている映像データ、音声データをデコードして元のデータに戻した後、表示／スピーカ部１５に出力する。こうして、表示／スピーカ部１５において地上デジタル放送の希望する番組の映像及び音声が出力される。
【００１７】
一方、アンテナ１１Ｍにはモバイル衛星放送の高周波信号が誘起する。この高周波信号はチューナ１２Ｍに供給される。チューナ１２Ｍは、受信信号から視聴者の操作に基づく所定のチャンネルを選局して、Ｉ，Ｑ軸の信号をＣＤＭ復調／ＦＥＣ部１３Ｍに出力する。
【００１８】
ＣＤＭ復調／ＦＥＣ部１３Ｍは、Ｉ，Ｑ軸の信号に対してＣＤＭ復調処理を行い、ＣＤＭ復調出力に対してデインターリーブ処理及び誤り訂正処理を行う。モバイル衛星放送信号は放送局においてインターリーブ処理が施されている。ＣＤＭ復調／ＦＥＣ部１３Ｍは、後述するように、メモリ１６を用いて、復調後のデータに対して送信側のインターリーブ処理に対応したデインタリーブ処理を行う。そして、ＣＤＭ復調／ＦＥＣ部１３Ｍはデインターリーブ処理後のデータに対して、誤り訂正処理を行って、元のデータを復元し、ＣＡ／デコード部１４Ｍに出力する。
【００１９】
放送局側では、契約視聴者以外による視聴を防止するために、モバイル衛星放送信号にスクランブルを施している。ＣＡ／デコード部１４Ｍは、予め視聴が許可されている番組、あるいは新たに購入した番組データをデスクランブルする。モバイル衛星放送は、Ｈ．２６４（ＭＰＥＧ４）規格に従って符号化されている。ＣＡ／デコード部１４Ｍは、Ｈ．２６４形式で圧縮されている映像データ、音声データをデコードして元のデータに戻した後、表示／スピーカ部１５に出力する。こうして、表示／スピーカ部１５においてモバイル衛星放送の希望する番組の映像及び音声が出力される。
【００２０】
ところで、ＯＦＤＭ復調／ＦＥＣ部１３Ｔ及びＣＤＭ復調／ＦＥＣ部１３Ｍは、ＯＦＤＭ復調処理又はＣＤＭ復調処理や誤り訂正処理において、図示しないメモリを使用する。これらの処理に用いるメモリは、各処理の要求毎にバス幅の変更等が必要であり、ＳＲＡＭ（Static RAM）が用いられるのが一般的である。また、これらの処理に必要なメモリ容量は、処理毎に殆ど変化しない。
【００２１】
一方、デインターリーブ処理は、比較的処理が単純であり、メモリバス幅も固定される。このため、一般的には、デインターリーブ処理には、大容量のＤＲＡＭ（Dynamic RAM）が採用される。図１のメモリ１６はこのようなデインターリーブ処理のためのＤＲＡＭを示している。
【００２２】
本実施の形態においては、ＯＦＤＭ復調／ＦＥＣ部１３Ｔ及びＣＤＭ復調／ＦＥＣ部１３Ｍは、共通のメモリ１６を用いてデインターリーブ処理を実施する。即ち、ＯＦＤＭ復調／ＦＥＣ部１３Ｔは、順次入力されるストリームをメモリ１６のメモリ空間にＭＰＥＧ規格に従った所定の順序で書き込み、ＭＰＥＧ規格に従った所定の順序で読み出すことによってデインターリーブ処理を行う。また、ＣＤＭ復調／ＦＥＣ部１３Ｍは、順次入力されるストリームをメモリ１６のメモリ空間にＨ．２６４規格に従った所定の順序で書き込み、Ｈ．２６４規格に従った所定の順序で読み出すことによってデインターリーブ処理を行う。
【００２３】
次に、このように構成された実施の形態の動作について説明する。
【００２４】
アンテナ１１Ｔには地上デジタル放送の放送信号が誘起し、アンテナ１１Ｍにはモバイル衛星放送の放送信号が誘起する。いま、チューナ１２Ｔによって、地上デジタル放送の番組を選択するものとする。この場合には、アンテナ１１Ｔに誘起した放送信号はチューナ１２Ｔにおいて所定のチャンネルが選局される。
【００２５】
チューナ１２Ｔによって選局された放送信号はＯＦＤＭ復調／ＦＥＣ部１３Ｔに与えられ、ＯＦＤＭ復調／ＦＥＣ部１３Ｔは、入力された信号をＯＦＤＭ復調すると共に、送信側の変調処理の逆処理によって復調出力を得る。ＯＦＤＭ復調／ＦＥＣ部１３Ｔは、復調出力をメモリ１６に書き込み、所定の順序で読み出すことによって、デインターリーブ処理を行う。ＯＦＤＭ復調／ＦＥＣ部１３Ｔはデインターリーブ処理後の復調出力を誤り訂正して、ＣＡ／デコード部１４Ｔに出力する。
【００２６】
ＣＡ／デコード部１４Ｔは、ＭＰＥＧ形式で圧縮されている映像データ、音声データをデコードして元のデータに戻した後、表示／スピーカ部１５に出力する。こうして、表示／スピーカ部１５において、地上デジタル放送の希望する番組の映像及び音声を出力させることができる。
【００２７】
次に、チューナ１２Ｍによって、モバイル衛星放送の番組を選択するものとする。この場合には、アンテナ１１Ｍに誘起した放送信号はチューナ１２Ｍにおいて所定のチャンネルが選局される。
【００２８】
チューナ１２Ｍによって選局された放送信号はＣＤＭ復調／ＦＥＣ部１３Ｍに与えられ、ＣＤＭ復調／ＦＥＣ部１３Ｍは、入力された信号をＣＤＭ復調して復調出力を得る。ＣＤＭ復調／ＦＥＣ部１３Ｍは、復調出力をメモリ１６に書き込み、所定の順序で読み出すことによって、デインターリーブ処理を行う。ＣＤＭ復調／ＦＥＣ部１３Ｍはデインターリーブ処理後の復調出力を誤り訂正して、ＣＡ／デコード部１４Ｍに出力する。
【００２９】
ＣＡ／デコード部１４Ｍは、Ｈ．２６４形式で圧縮されている映像データ、音声データをデコードして元のデータに戻した後、表示／スピーカ部１５に出力する。こうして、表示／スピーカ部１５において、モバイル衛星放送の希望する番組の映像及び音声を出力させることができる。
【００３０】
このように、本実施の形態においては、地上デジタル放送の復調を行うＯＦＤＭ復調／ＦＥＣ部及びモバイル衛星放送の復調を行うＣＤＭ復調／ＦＥＣ部において、デインターリーブ処理に用いるメモリを共用している。これにより、地上デジタル放送とモバイル衛星放送との受信が可能な装置を構成する場合において、メモリ容量の増大を抑制することができる。
【００３１】
例えば、デインターリーブ処理のメモリとしては、地上デジタル放送において規格化されているメモリ容量の１つのメモリを採用して、地上デジタル放送及びモバイル衛星放送の両方の受信が可能である。
【００３２】
また、上記実施の形態においては、地上デジタル放送とモバイル衛星放送との切換えは、２つのチューナに対する選局操作によるものとして説明したが、共用受信装置の全体を制御するマンマシンインターフェースとしての図示しないテンキーボード等を利用して、地上デジタル放送とモバイル衛星放送との切換えを行ってもよい。また、チューナが共用された場合等においては、チューナの入力信号のスペクトル解析等によって入力信号の種類を特定し、これにより適応的にＯＦＤＭ復調／ＦＥＣ部及びＣＤＭ復調／ＦＥＣ部を制御するようにしてもよい。
【００３３】
図２は本発明の第２の実施の形態を示すブロック図である。図２において図１と同一の構成要素には同一符号を付して説明を省略する。
【００３４】
第１の実施の形態においては、地上デジタル放送の受信とモバイル衛星放送の受信とを切換える例を説明した。日本の地上デジタル放送においては、ＩＳＤＢ−Ｔ方式が採用されている。ＩＳＤＢ−Ｔ方式においては、上述したように、ＭＰＥＧ２規格で規定されたＴＳ（トランスポートストリーム）に、誤り訂正符号化、インターリーブ符号化、デジタル変調等の信号処理が施され、更に、ＯＦＤＭ変調されて出力される。ＩＳＤＢ−Ｔ方式では、周波数領域ではキャリア本数１０８個のＯＦＤＭシンボルを１ブロックとし、モードに応じて１，２，４個のブロックで１セグメントを構成する。即ち、１セグメントのキャリア本数は、１０８、２１６又は４３２本である。ＩＳＤＢ−Ｔ方式では、１３セグメント分の帯域で伝送を行う。また、ＩＳＤＢ−Ｔ方式では、伝送特性が異なる複数の階層を同時に伝送する階層伝送が可能である。各階層は、１つ又は複数のＯＦＤＭセグメントにより構成され、階層毎にキャリア変調方式、内符号の符号化率、時間インターリーブ長等のパラメータを指定することが可能である。
【００３５】
即ち、地上デジタル放送においては、受信チャンネル毎にパラメータが変化し、パラメータに応じてデインターリーブに使用するメモリ量が変化する。従って、地上デジタル放送の受信チャンネルによっては、インターリーブ用のメモリに空き領域が生じる。また、一般的には、規格によって指定されたデインターリーブ用のメモリ容量に対し、実際に使用されるメモリ容量は小さく、デインターリーブ処理時においても、デインターリーブ用のメモリには空き領域が生じている。
【００３６】
そこで、本実施の形態においては、地上デジタル放送又はモバイル衛星放送の受信中においてデインターリーブ処理に使用されているメモリ量から、空きメモリ量を求める。そして、受信中でないモバイル衛星放送又は地上デジタル放送の各チャンネルのうち、空きメモリ量の範囲内でデインターリーブ処理が可能なチャンネルを調べて、そのチャンネルに対する選局操作があった場合には受信動作を行うようになっている。
【００３７】
本実施の形態においては、ＯＦＤＭ復調／ＦＥＣ部２３Ｔは、図１のＯＦＤＭ復調／ＦＥＣ部１３Ｔと同様の機能を有する。更に、ＯＦＤＭ復調／ＦＥＣ部２３Ｔは、メモリ１６の空き領域を求め、受信した放送信号中に含まれるパラメータに基づいて、選局されたチャンネルに対してメモリ１６の空き容量内でデインターリーブ処理が可能か否かを判定する。デインターリーブ処理が可能な場合には、ＯＦＤＭ復調／ＦＥＣ部２３Ｔは、モバイル衛星放送の受信中においても地上デジタル放送信号の復調処理、デインターリーブ処理及び誤り訂正処理を実施して、復調出力をＣＡ／デコード部１４Ｔに出力するようになっている。この場合には、ＯＦＤＭ復調／ＦＥＣ部２３Ｔは、モバイル衛星放送の受信に使用しているメモリ１６の領域以外の空き領域を用いて、デインターリーブ処理を行う。
【００３８】
同様に、ＣＤＭ復調／ＦＥＣ部２３Ｍは、図１のＣＤＭ復調／ＦＥＣ部１３Ｍと同様の機能を有する。更に、ＣＤＭ復調／ＦＥＣ部２３Ｍは、メモリ１６の空き領域を求め、受信した放送信号中に含まれるパラメータに基づいて、選局されたチャンネルに対してメモリ１６の空き容量内でデインターリーブ処理が可能か否かを判定する。デインターリーブ処理が可能な場合には、ＣＤＭ復調／ＦＥＣ部２３Ｍは、地上デジタル放送の受信中においてもモバイル衛星放送信号の復調処理、デインターリーブ処理及び誤り訂正処理を実施して、復調出力をＣＡ／デコード部１４Ｍに出力するようになっている。この場合には、ＣＤＭ復調／ＦＥＣ部２３Ｍは、地上デジタル放送の受信に使用しているメモリ１６の領域以外の空き領域を用いて、デインターリーブ処理を行う。
【００３９】
表示／スピーカ部１５Ｔ，１５Ｍは、いずれも表示／スピーカ部１５と同様の構成であり、夫々地上デジタル放送又はモバイル衛星放送の画像表示に適した表示領域を有する。表示／スピーカ部１５Ｔは、ＣＡ／デコード部１４Ｔの出力に基づいて映像及び音声を出力し、表示／スピーカ部１５Ｍは、ＣＡ／デコード部１４Ｍの出力に基づいて映像及び音声を出力する。
【００４０】
次に、このように構成された実施の形態の動作について説明する。
【００４１】
いま、例えば、モバイル衛星放送を受信中であるものとする。モバイル衛星放送の放送信号は、ＣＤＭ復調／ＦＥＣ部２３ＭによってＣＤＭ復調され、復調出力がメモリ１６に書き込まれる。ＣＤＭ復調／ＦＥＣ部２３Ｍは、メモリ１６を用いてデインターリーブ処理し、デインターリーブ処理後の復調出力を誤り訂正して、ＣＡ／デコード部１４Ｍに出力する。
【００４２】
ＣＡ／デコード部１４Ｍは、Ｈ．２６４形式で圧縮されている映像データ、音声データをデコードして元のデータに戻した後、表示／スピーカ部１５Ｍに出力する。こうして、表示／スピーカ部１５Ｍにおいて、モバイル衛星放送の希望する番組の映像及び音声を出力させることができる。
【００４３】
このモバイル衛星放送の受信中において、地上デジタル放送の所定のチャンネルを選局するものとする。選局された放送信号はＯＦＤＭ復調／ＦＥＣ部２３Ｔに与えられ、ＯＦＤＭ復調／ＦＥＣ部２３Ｔは、入力された信号をＯＦＤＭ復調すると共に、送信側の変調処理の逆処理によって復調出力を得る。ＯＦＤＭ復調／ＦＥＣ部２３Ｔは、復調出力に含まれるパラメータに基づいて復調出力のデインターリーブ処理に必要なメモリ量を求める。ＯＦＤＭ復調／ＦＥＣ部２３Ｔは、現在受信中のモバイル衛星放送に対するデインターリーブ処理に使用しているメモリ量の情報から、選局された地上デジタル放送のチャンネルについてデインターリーブ処理が可能か否かを判定する。
【００４４】
ＯＦＤＭ復調／ＦＥＣ部２３Ｔは、選局チャンネルについてのデインターリーブ処理が可能な場合には、復調出力をメモリ１６の空き領域に書き込み、所定の順序で読み出すことによって、デインターリーブ処理を行う。ＯＦＤＭ復調／ＦＥＣ部２３Ｔはデインターリーブ処理後の復調出力を誤り訂正して、ＣＡ／デコード部１４Ｔに出力する。
【００４５】
ＣＡ／デコード部１４Ｔは、ＭＰＥＧ形式で圧縮されている映像データ、音声データをデコードして元のデータに戻した後、表示／スピーカ部１５Ｔに出力する。こうして、表示／スピーカ部１５Ｍにおいてモバイル衛星放送の番組を映出させながら、表示／スピーカ部１５Ｔにおいて地上デジタル放送の希望する番組の映像及び音声を出力させることができる。
【００４６】
このように、本実施の形態においては、デインターリーブ処理に用いるメモリの空き領域を用いて他の放送のデインターリーブ処理が可能である場合には、複数の番組のデインターリーブ処理を共用のメモリを用いて実施する。これにより、回路規模の増大を抑制しながら、複数の放送番組を同時に視聴可能である。
【００４７】
また、例えば、地上デジタル放送受信時においてモバイル衛星放送を受信することも可能である。更に、地上デジタル放送及びモバイル衛星放送のいずれについても、放送の一部、例えば音声チャンネルのみ、特定チャンネル、ＥＰＧチャンネルのみを同時並行受信して映像及び音声の出力を行うようにしてもよい。
【００４８】
なお、本実施の形態は、デインターリーブ処理に使用されていないメモリの空き領域を用いてデインターリーブ処理が可能なチャンネルを調べて、そのチャンネルに関する情報をユーザーに提示するようにしてもよい。また、メモリの空き領域を用いてデインターリーブ処理が可能なチャンネル以外のチャンネルがユーザーによって選局された場合には、選局したチャンネルを同時に受信することができない旨、ユーザーに提示するようにしてもよい。更に、メモリの空き領域を用いてデインターリーブ処理が可能なチャンネル以外のチャンネルがユーザーによって選局された場合には、現在デインターリーブ処理を行って受信中のチャンネルに代えて、後から選局されたチャンネルを受信するようにしてもよい。
【００４９】
図３は本発明の第３の実施の形態を示すブロック図である。図３において図１と同一の構成要素には同一符号を付して説明を省略する。
【００５０】
地上デジタル放送においては、１３セグメントを用いた伝送だけでなく、中央部の１セグメントを用いた伝送が行われている。この１セグメントは、デインターリーブ処理を含む各処理がそのセグメント内のみで完結しており、１セグメントのみで受信可能な受信機を構成することができる。本実施の形態は地上デジタル放送の受信部がこのような１セグメントの受信を行うものに適用した例である。このような１セグメントはＨ．２６４規格で符号化されており、ＣＡ／デコード部をモバイル衛星放送用と地上デジタル放送用とで共用化可能である。
【００５１】
図３において、ＣＡ／デコード部１４Ｍは図１及び図２のＣＡ／デコード部１４Ｍと同一構成である。ＣＡ／デコード部１４Ｍは、ＯＦＤＭ復調／ＦＥＣ部１３Ｔ又はＣＤＭ復調／ＦＥＣ部１３Ｍからの復調出力が与えられて、デスクランブル処理及びデコード処理を行って、映像信号及び音声信号を表示／スピーカ部１５に出力するようになっている。
【００５２】
このように構成された実施の形態においては、ＯＦＤＭ復調／ＦＥＣ部１３Ｔ及びＣＤＭ復調／ＦＥＣ部１３Ｍがメモリ１６を共用してデインターリーブ処理を行うことは、第１の実施の形態と同様である。ＯＦＤＭ復調／ＦＥＣ部１３Ｔ及びＣＤＭ復調／ＦＥＣ部１３Ｍからの復調出力はＣＡ／デコード部１４Ｍに供給される。
【００５３】
ＣＡ／デコード部１４Ｍは、Ｈ．２６４形式で圧縮されている映像データ、音声データをデコードして元のデータに戻した後、表示／スピーカ部１５Ｍに出力する。こうして、表示／スピーカ部１５Ｍにおいて、地上デジタル放送又はモバイル衛星放送の希望する番組の映像及び音声を出力させることができる。
【００５４】
このように本実施の形態においても、第１の実施の形態と同様の効果が得られると共に、ＣＡ／デコード部を共用化することで、装置規模を一層削減することができる。
【００５５】
なお、上記各実施の形態においては、地上デジタル放送とモバイル衛星放送とで、デインターリーブ処理用のＤＲＡＭを共用化する例について説明したが、デインターリーブ処理用以外の例えばＳＲＡＭ等のメモリを共用化するようにしてもよい。
【００５６】
また、上記各実施の形態は、地上デジタル放送とモバイル衛星放送とで、受信装置のメモリを共用化する例について説明したが、地上デジタル放送及びモバイル衛星放送に限らず、放送方式が異なる２つの放送相互間で、メモリを共用化した受信装置を構成することができる。
【図面の簡単な説明】
【００５７】
【図１】本発明の第１の実施の形態に係る共用受信装置を示すブロック図。
【図２】本発明の第２の実施の形態を示すブロック図。
【図３】本発明の第３の実施の形態を示すブロック図。
【符号の説明】
【００５８】
１２Ｔ，１２Ｍ…チューナ、１３Ｔ…ＯＦＤＭ復調／ＦＥＣ部、１３Ｍ…ＣＤＭ復調／ＦＥＣ部、１４Ｔ…ＣＡ／デコード部、１４Ｍ…ＣＡ／デコード部、１６…メモリ部。
【図１】
2009005298.tif 000003
【図２】
2009005298.tif 000004
【図３】
2009005298.tif 000005